(57)【要約】【課題】保管用収納袋を必要とせず、折り畳んだ後の持ち運びに便利な折り畳み自転車の収納バッグを提供する。【解決手段】折り畳んだ自転車を支持する底板部２と、折り畳んだ自転車の全体を覆うカバー体３と、持ち運び用の第１のベルトと、カバー体３に一体に取り付けられた状態でカバー体３内に設けられる袋部材６とを備える。カバー体３には折り畳んだ自転車を出し入れするための開閉可能な出し入れ口３４が設けられている。袋部材６は前面部６１および背面部６２と、前面部６１と背面部６２との間にカバー体３の折り込み空間部を形成する襠部６３とを備える。背面部６２には持ち運び用の第２のベルト７ａ，７ｂが装着されている。【選択図】図６
2019030360.tif 000002
【特許請求の範囲】
【請求項１】
折り畳んだ自転車を下方より支持するための底板部と、前記底板部上に設けられ折り畳んだ自転車の全体を覆うことが可能なカバー体と、前記カバー体に装着される持ち運び用の第１のベルトと、前記カバー体に一体に取り付けられた状態でカバー体内に設けられる袋部材とを備え、前記カバー体には折り畳んだ自転車を出し入れするための開閉可能な出し入れ口が設けられており、前記袋部材は、前面部および背面部と、前記前面部と背面部との間にカバー体の折り込み空間部を形成するための襠部とを備え、前記背面部には持ち運び用の第２のベルトが装着されてなる折り畳み自転車の収納バッグ。
【請求項２】
前記袋部材は、前記背面部の裏面の側が前記カバー体の裏面に接合されることによりカバー体に一体に取り付けられており、前記背面部の表面の側と前記前面部の表面の側とが対向する状態でカバー体内に設けられている請求項１に記載の折り畳み自転車の収納バッグ。
【請求項３】
前記袋部材の襠部は、前記背面部の側の端縁が背面部と一体であり、前記前面部の側の端縁が開放されており、前記襠部の開放された端縁と前記前面部との間はカバー体を前記折り込み空間部へ折り込むための開閉可能な開放部を構成している請求項１に記載の折り畳み自転車の収納バッグ。
【請求項４】
前記持ち運び用の第１のベルトは、リュック用のベルトとショルダー用のベルトとを含んでいる請求項１に記載の折り畳み自転車の収納バッグ。
【請求項５】
前記持ち運び用の第１のベルトは、把手用のベルトを含んでおり、前記底板部にはキャスターが回動自由に取り付けられている請求項１に記載の折り畳み自転車の収納バッグ。
【請求項６】
前記持ち運び用の第２のベルトは、リュック用のベルトである請求項１に記載の折り畳み自転車の収納バッグ。
【請求項７】
前記底板部は、折り畳んだ自転車のタイヤが嵌まる部分を有する合成樹脂製の底板を含んでいる請求項１に記載の折り畳み自転車の収納バッグ。
【発明の詳細な説明】
【技術分野】
【０００１】
この発明は、折り畳んだ自転車を収納して持ち運ぶのに使用される折り畳み自転車の収納バッグに関し、この発明は特に、自転車の取出し後はコンパクトに折り畳むことが可能な折り畳み自転車の収納バッグに関する。
【背景技術】
【０００２】
従来、折り畳み自転車の収納バッグ（以下、単に「収納バッグ」という。）として、種々の形態のものがあり、先般、キャスター付きの収納バッグが提案された（例えば、特許文献１参照）。この収納バッグは、本体部とバンド部材と保管用収納袋とからなる。本体部は、折り畳んだ自転車を収納するためのもので、折り畳み自転車を取り出した後は、底面部の略中央部で二つ折りし、その二つ折りされた底面部間に、他の部分である本体部の全てを挟み込んで小さく折り畳むようになっている。バンド部材は、この折り畳み状態の本体部を巻回して固定するためのものである。バンド部材により固定された二つ折りの収納バッグは保管用収納袋に収納される。なお、折り畳み自転車は、折り畳むことが可能なようにフレーム構造に折り畳み機構が設けられたものである。  
【先行技術文献】
【特許文献】
【０００３】
【特許文献１】特開２０１７−２３２５７号公報
【発明の概要】
【発明が解決しようとする課題】
【０００４】
上記した収納バッグは、折り畳んだ自転車を収納するための本体部とは別に、折り畳まれた本体部を収納するための保管用収納袋を必要とし、部品点数が多くなる。また、保管用収納袋を持参するのを忘れたり、紛失したりすると、本体部を収納できず、持ち運びに支障をきたす。さらに、本体部を収納した保管用収納袋は、自転車のシートポストに取り付けられるが、その取付作業に手間がかかるうえ、取外し作業にも手数を要するという問題がある。
【０００５】
この発明は、上記の問題に着目してなされたもので、保管用収納袋を必要とせず、折り畳んだ後の持ち運びに便利な折り畳み自転車の収納バッグを提供することを目的とする。
【課題を解決するための手段】
【０００６】
この発明による折り畳み自転車の収納バッグは、折り畳んだ自転車を下方より支持するための底板部と、底板部上に設けられ折り畳んだ自転車の全体を覆うことが可能なカバー体と、カバー体に装着される持ち運び用の第１のベルトと、前記カバー体に一体に取り付けられた状態でカバー体内に設けられる袋部材とを備えている。カバー体には折り畳んだ自転車を出し入れするための開閉可能な出し入れ口が設けられている。袋部材は、前面部および背面部と、前面部と背面部との間にカバー体の折り込み空間部を形成するための襠部とを備えている。背面部には持ち運び用の第２のベルトが装着されている。
【０００７】
上記した構成の収納バッグを展開し、カバー体の出し入れ口を開いてカバー体内に折り畳んだ自転車を収納する。自転車はカバー体内の底板部上に支持される。カバー体の出し入れ口を閉じると、折り畳んだ自転車はカバー体により全体が覆われる。収納バッグは持ち運び用の第１のベルトを利用して持ち運ぶ。
自転車に乗るときは、カバー体の出し入れ口を開いてカバー体内より折り畳んだ自転車を取り出した後、収納バッグを折り畳む。この場合、袋部材はカバー体に一体に取り付けられた状態でカバー体内に設けられているので、袋部材が有するカバー体の折り込み空間部にカバー体を折り込むことで、収納バッグは折り畳まれる。折り畳み後は、背面部に持ち運び用の第２のベルトが装着されているので、第２のベルトによって折り畳んだ収納バッグを背負う。
【０００８】
この発明の好ましい実施形態においては、前記袋部材は、前記背面部の裏面の側が前記カバー体の裏面に接合されることによりカバー体に一体に取り付けられており、前記背面部の表面の側と前記前面部の表面の側とが対向する状態でカバー体内に設けられている。
【０００９】
この実施形態によると、収納バッグを折り畳むとき、袋部材の背面部および前面部はそれぞれの表面の側が反対向きとなる状態にした後、前面部と背面部との間のカバー体の折り込み空間部にカバー体を折り込む。
【００１０】
この発明の好ましい実施形態においては、前記袋部材の襠部は、前記背面部の側の端縁が背面部と一体であり、前記前面部の側の端縁が開放されており、前記襠部の開放された端縁と前記前面部との間はカバー体を前記折り込み空間部へ折り込むための開閉可能な開放部を構成している。
【００１１】
この実施形態によると、収納バッグを折り畳むとき、前記袋部材の襠部の開放された端縁を折り返すことにより袋部材の背面部および前面部はそれぞれの表面の側が反対向きとなる状態となるので、前面部と背面部との間のカバー体の折り込み空間部に開放部よりカバー体を折り込んだ後、開放部を閉じる。
【００１２】
好ましい実施形態においては、前記持ち運び用の第１のベルトは、リュック用のベルトとショルダー用のベルトとを含んでいる。
【００１３】
この実施態様によると、折り畳んだ自転車を収納した収納バッグを持ち上げてリュック用のベルトによって背負うことができ、さらに、ショルダー用のベルトによって肩に担ぐこともできる。
【００１４】
さらに好ましい実施形態においては、前記持ち運び用の第１のベルトは、把手用のベルトを含むとともに、前記底板部にはキャスターが回動自由に取り付けられている。
【００１５】
この実施態様によると、折り畳んだ自転車を収納した収納バッグを把手用のベルトを持って引き摺ることで、キャスターが地面上を転がるので、収納バッグを持ち上げることなく運ぶことができる。
【００１６】
さらに好ましい実施態様においては、前記持ち運び用の第２のベルトは、リュック用のベルトである。
【００１７】
この実施態様によると、折り畳んだ収納バッグはリュック用のベルトによって背負うことができ、自転車走行の邪魔にならない。
【００１８】
好ましい実施形態においては、前記底板部は、折り畳んだ自転車のタイヤが嵌まる部分を有する合成樹脂製の底板を含んでいる。
【００１９】
この実施態様によると、折り畳んだ自転車のタイヤが底板に嵌まって保持されるので、折り畳んだ自転車はカバー体内での動きが規制され、収納バッグを安定して持ち運ぶことができる。
【発明の効果】
【００２０】
この発明によれば、カバー体に一体に取り付けられた状態の袋部材にカバー体を折り込むことにより収納バッグを簡単に折り畳むことができるもので、袋部材を紛失するおそれがないので、折り畳みに支障をきたすことがない。また、折り畳んだ収納バッグは持ち運び用の第２のベルトにより持ち運ぶことができるので、折り畳んだ後の持ち運びに便利であり、折り畳み後、速やかに自転車を走行させることができる。
【図面の簡単な説明】
【００２１】
【図１】展開した状態の収納バッグを示す斜視図であり、（１）は前面側より見た図、（２）は背面側より見た図である。
【図２】底板部を外側から見た斜視図である。
【図３】底板部を内側から見た斜視図である。
【図４】図３のＡ−Ａ線に沿う断面図である。
【図５】カバー体の出し入れ口を開いた状態を示す収納バッグの斜視図である。
【図６】袋部材を開いた状態を示す収納バッグの斜視図である。
【図７】折り畳んだ状態の収納バッグの斜視図であり、（１）は前面側より見た図、（２）は背面側より見た図である。
【図８−１】折り畳んだ状態の収納バッグを展開するときの（１）〜（６）の各手順を示す説明図である。
【図８−２】折り畳んだ状態の収納バッグを展開するときの（７）〜（９）の各手順を示す説明図である。
【発明を実施するための形態】
【００２２】
図１は、この発明の一実施例である折り畳み自転車の収納バッグ１の外観を示すもので、（１）は前面側より見た図、（２）は背面側より見た図である。この収納バッグ１は、折り畳んだ自転車を収納するために展開したときの形態（図１（１）（２）に示す形態）と、自転車の取出し後に折り畳んだときの形態（図７（１）（２）に示す形態）の２つの形態を保つことが可能である。
【００２３】
図示の収納バッグ１は、折り畳んだ自転車（図示せず）を下方より支持するための底板部２と、底板部２上に被さるように設けられ折り畳んだ自転車の全体を覆うことが可能な大きさのカバー体３とを備えている。底板部２の一側端には一対のキャスター５，５が回動自由に取り付けられている。カバー体３には、収納バッグ１を持ち運びするための持ち運び用の第１のベルト４として、後述する３種類のベルトが装着されている。
【００２４】
なお、図１（１）（２）に示される展開したときの形態、および図７（１）（２）に示される折り畳んだときの形態において、ｚを上下方向、ｘを前後方向、ｙを左右方向（両側方向）とする。また、展開したときの形態において、後述する第１のリュックベルト４１ａ，４１ｂが設けられている側の面、および折り畳んだときの形態において、後述する第２のリュックベルト７ａ，７ｂが設けられている側の面を背面といい、その反対側の面を前面という。
【００２５】
カバー体３は、ポリエステルなどの合成樹脂製の柔軟な生地よりなり、上下方向に長い形態のものであり、同じ外形の前壁部３１および背壁部３２と、前壁部３１の外周縁と背壁部３２の外周縁との間に介在する襠部３３とを有する。襠部３３は、底板部２の一側端から他側端にわたって前壁部３１および背壁部３２の外周縁に沿って周回しており、全長にわたり一定の幅を有する。
【００２６】
襠部３３の幅中央部には、折り畳んだ自転車を出し入れするための開閉可能な出し入れ口３４が形成されている。出し入れ口３４の開口縁には２個のスライダー３６，３６の摺動により開閉するファスナー３５が装着されている。各スライダー３６は、互いに近づく方向へ摺動させると、ファスナー３５が閉じ、離れる方向へ摺動させると、ファスナー３５が開く。２個のスライダー３６が突き当たった状態（図１（１）（２）に示す状態）のとき、ファスナー３５は全閉の状態となる。２個のスライダー３６がファスナー３５の両端に位置するとき、ファスナー３５は全開の状態となる。  
【００２７】
持ち運び用の第１のベルト４は、収納バッグ１を背負うために両肩に掛けられるリュック用のベルト（以下「第１のリュックベルト」という。）４１ａ，４１ｂと、収納バッグ１を引き摺るために手で把持される把手用のベルト（以下「把手ベルト」という。）４２と、収納バッグ１を担ぐために一方の肩に掛けられるショルダー用のベルト（以下「ショルダーベルト」という。）４３とを含んでいる。
【００２８】
第１のリュックベルト４１ａ，４１ｂは、背壁部３２の上部位置と下部の両側位置との間に装着される。把手ベルト４２は、キャスター５と反対側の上部位置であって、襠部３３を跨ぐように前壁部３１と背壁部３２との間に装着されている。ショルダーベルト４３は上部位置であって襠部３３の両側部間に装着されている。リュックベルト４１ａ，４１ｂおよびショルダーベルト４３は長さ調節が可能である。また、把手ベルト４２とショルダーベルト４３はカバー体３より取り外すことが可能である。
【００２９】
図２〜図４は、底板部２の構成を示している。図２は、底板部２を下方より見た図である。図３は、底板部２をカバー体３の内部より見た図である。図４は、図３のＡ−Ａ線に沿って断面した図である。
底板部２は、第１の底板２１と、第１の底板２１上にネジ２０により固定される第２の底板２２とを含む。第１、第２の各底板２１，２２は、容易に変形しない硬質の合成樹脂により形成されている。第１の底板２１は、カバー体３の襠部３３の幅とほぼ同じ幅であり、前壁部３１および背壁部３２の幅と同じ長さを有している。第１の底板２１の両側端には立ち上がり壁２３，２４が一体形成されている。
【００３０】
一方の立ち上がり壁２４には一対のキャスター５，５を回動自由に支持する一対の軸受部２５，２５が一体に形成されている。他方の立ち上がり壁２３の近傍には一対の脚部５０，５０が取り付けられている。キャスター５と脚部５０とは収納バッグ１が水平の姿勢に保たれるように下方へ同じ寸法だけ突き出ている。この実施形態では、キャスター５は底板部２の一側端にのみ設けているが、底板部２の両側端に設けてもよい。なお、キャスター５は全体が合成樹脂製であるが、外周面をゴムで覆ったものであってもよい
【００３１】
第２の底板２２は、カバー体３の襠部３３の幅とほぼ同じ幅であり、前壁部３１および背壁部３２の幅より短い長さを有している。第２の底板２２の両側端には立ち上がり壁２６，２７が一体形成されている。この立ち上がり壁２６，２７間に折り畳んだ自転車のタイヤ９が嵌まり、これによりカバー体３内で自転車が安定状態で支持される。第１の底板２１の外面は柔軟な合成樹脂製の表地２８により覆われている。また、第２の底板２２上には柔軟な合成樹脂製の布カバー２９が被せられている。
【００３２】
カバー体３の前壁部３１の内面には、図５および図６に示すように、カバー体３を折り畳んで折り込むための開閉可能な袋部材６が一体に取り付けられている。なお、図５は、カバー体３の出し入れ口３４を全開にした状態を示し、図６は、さらに袋部材６を開放した状態を示している。
【００３３】
袋部材６は、カバー体３と同じ柔軟な生地により形成されており、表面同士または裏面同士を互いに対向させることが可能な前面部６１および背面部６２と、前面部６１の外周縁と背面部６２の外周縁との間に介在し裏面同士が対向した状態にある前面部６１と背面部６２との間に後述するカバー体３の折り込み空間部Ｓを形成する襠部６３とで構成されている。なお、図５および図６に示す状態では、前面部６１と背面部６２とは表面同士が対向している。
【００３４】
前面部６１は表面側にファスナー６４の付いたポケット６５を有している。背面部６２は表面側に持ち運び用の第２のベルトとしてリュック用のベルト（以下「第２のリュックベルト」という。）７ａ，７ｂが装着されている。ここで、前面部６１および背面部６２は、図７（１）（２）に示す折り畳んだ状態において、表に出る側を「表面」、表に出ない側を「裏面」と呼ぶ。背面部６２は裏面の全体がカバー体３の前壁部３１の内面に一体に接合されており、これにより袋部材６はカバー体３に一体に取り付けられている。
【００３５】
前面部６１および背面部６２は横に長い矩形状であり、横幅がカバー体３の前壁部３１の下部の横幅とほぼ一致し、縦幅が前壁部３１の縦幅（高さ）のほぼ半分である。背面部６２の下端縁は底板部２の近傍に位置し、上端縁は前壁部３１の高さ中央部に位置する。襠部６３は、一定の幅を有し、一方の端縁が全周にわたって背面部６２の外周縁に縫着されている。襠部６３の他方の端縁は、一辺（下端縁）のみが前面部６１の下端縁に一体に縫着されており、他の三辺（両側端縁と上端縁）は開放され、これにより襠部６３は折り返しが可能である。折り返された状態の襠部６３の開放された端縁と前面部６１の両側縁との間および上端縁との間は、カバー体３を折り込むための開閉可能な開放部６０を構成する。
【００３６】
三辺にわたる開放部６０には、２個のスライダー６７，６７により開閉されるファスナー６６が取り付けられている。各スライダー６７を互いに近づく方向へ摺動させたときファスナー６６は閉じ、離れる方向へ摺動させたときファスナー６６は開く。２個のスライダー６７が突き当たった状態（図５に示す状態）のとき、ファスナー６６は全閉の状態である。２個のスライダー６７がファスナー６６の両端に位置した状態（図６に示す状態）のとき、ファスナー６６は全開の状態である。収納バッグ１を展開したり折り畳んだりする際、ファスナー６６を全開の状態とする。なお、図５および図６において、３７はカバー体３内に収納した自転車を固定するためのベルトである。
【００３７】
収納バッグ１を展開した状態では、袋部材６は、背面部６２の表面側６２Ａと前面部６１の表面側６１Ａとが互いに向き合う。この展開した状態から折り畳んだ状態にするには、ファスナー６６を全開にして、開放部６０を開放した後、背面部６２の表面側６２Ａと前面部６１の表面側６１Ａとが反対向き（外向き）となるように反転させる必要がある。
【００３８】
図６において、矢印Ｐ，Ｑは反転操作を示している。矢印Ｐで示すように、カバー体３の前壁部３１をカバー体３の背壁部３２の後方へ折り返し、さらに、矢印Ｑで示すように、袋部材６の襠部６３を反対側へ折り返すことにより、袋部材６の背面部６２の表面側６２Ａと前面部６１の表面側６１Ａとを反対向きの状態とし、つぎに、前面部６１と背面部６２との間であって襠部６３により形成されるカバー体３の折り畳み空間部にカバー体３の前壁部３１、背壁部３２、および襠部３３を折り畳んで折り込む。これによって収納バッグ１は折り畳まれる。
【００３９】
後述する図８−１（３）には、上記したカバー体３の折り込み空間部Ｓと、折り畳み空間部Ｓにカバー体３が折り畳まれた状態とが示されている。この折り込み空間部Ｓは、背面部６２と一体の襠部６３の内側に形成されるもので、この折り込み空間部Ｓに底板部２と共にカバー体３が折り畳まれて折り込まれている。折り込み空間部Ｓ上に前面部６１を被せ、襠部６３の開放部６０をファスナー６６によって閉じることで、収納バッグ１は図７（１）（２）に示す折り畳んだ状態となる。
【００４０】
折り畳まれた状態の収納バッグ１は、外壁面が縦に長い矩形状の前面部６１および背面部６２と、前面部６１と背面部６２の周縁部間に介在する襠部６３とで構成されている。図７（１）に示される前面部６１は、ファスナー６４の付いたポケット６５を有する。図７（２）に示される背面部６２は、折り畳まれた状態の収納バッグ１を背負うための第２のリュックベルト７ａ，７ｂが装着されている。襠部６３の開放された端縁と前面部６１の外周縁との間の開放部６０はファスナー６６により閉じられている。
【００４１】
第２のリュックベルト７ａ，７ｂは、上下方向の位置調整が可能なバックル７１ａ，７１ｂと、各バックル７１ａ，７１ｂに内向きに取り付けられた連結ベルト７２ａ，７２ｂとを備えている。各連結ベルト７２ａ，７２ｂは長さ調節が可能であり、各連結ベルト７２ａ，７２ｂの先端部は互いに係脱が可能となっている。なお、折り畳んだ収納バッグ１を持ち運ぶベルトとして、第２のリュックベルト７ａ，７ｂに代えて、ショルダーベルトや手提げベルトを用いることができる。
【００４２】
図８−１（１）〜（６）および図８−２（７）〜（９）は、折り畳んだ状態の収納バッグ１を展開するときの手順を示している。
図８−１（１）に示す折り畳んだ状態では、袋部材６の内部に底板部２およびカバー体３が収まっており、前面部６１の外周縁と襠部６３の開放端縁との間の開放部６０のファスナー６６が閉じられている。スライダー６７，６７を矢印ａの方向へ摺動させ、終端まで移動させてファスナー６６を開くことで、開放部６０は図８−１（２）に示す全開の状態となる。
【００４３】
図８−１（３）は、前面部６１を図８−１（２）の矢印ｂの方向へ開いた状態を示す。背面部６２および襠部６３に囲まれた折り込み空間部Ｓにはカバー体３が折り畳まれて折り込まれており、前壁部３１の上部３１ａが見えている。
【００４４】
図８−１（４）は、前壁部３１の上部３１ａを、図８−１（３）の矢印ｃで示すように、前面部６１と反対側へ開いた状態を示しており、これにより背壁部３２の上部３２ａが出現する。
【００４５】
図８−１（５）は、背壁部３２の全体を、図８−１（４）の矢印ｄで示すように、袋部材６の前面部６１上に引き出した状態を示しており、これにより背壁部３２の第１のリュックベルト４１ａ，４１ｂの全体が現れる。
【００４６】
図８−１（６）は、背壁部３２を図８−１（５）の矢印ｅで示すように、前壁部３１の上部３１ａ上に折り返した状態を示しており、これにより袋部材６の襠部６３内に嵌まった状態の底板部２が現れる。このように、図８−１（３）の折り込み状態においては、袋部材６の背面部６２および襠部６３により形成される折り込み空間部Ｓに底板部２が嵌まり、底板部２上にカバー体３の背壁部３２が折り畳まれて重ねられ、その上にカバー体３の前壁部３１の上部３１ａが折り重ねられている。
【００４７】
図８−２（７）は、図８−１（６）の状態のものを、矢印ｆで示すように上下反転させた状態を示しており、これにより袋部材６の前面部６１の表面側６１Ａ、第２のリュックベルト７ａ，７ｂを有する背面部６２の表面側６２Ａ、前壁部３１の上部３１ａ、および背壁部３２の第１のリュックベルト４１ａ，４１ｂが出現する。
【００４８】
つぎに、袋部材６の襠部６３を背面部６２の表面側６２Ａに折り返し、袋部材６の前面部６１を、図８−２（７）の矢印ｇで示すように、背面部６２上に折り重ねた後、図８−２（８）に示すように、スライダー６７，６７を摺動させてファスナー６６を閉じると、開放部６０は全閉の状態となる。
【００４９】
図８−２（９）は、前壁部３１を、図８−２（８）の矢印ｈで示すように、カバー体３の背壁部３２と反対方向へ開いた状態を示しており、これにより底板部２の下面が出現する。そして、全体を上下反転させれば、底板部２の内部が上方を向き、カバー体３が開放された状態となるので、折り畳んだ自転車のタイヤを底板部２上に支持させ、カバー体３を閉じることにより、自転車を収納バッグ１で覆うことができる。
【００５０】
上記した構成の収納バッグ１を図８−１（１）〜（６）および図８−２（７）〜（９）に示した手順により展開した後、カバー体３の出し入れ口３４を開いてカバー体３内に折り畳んだ自転車を収納する。自転車はカバー体３内の底板部２の第２の底板２２上に支持される。カバー体３の出し入れ口３４を閉じると、折り畳んだ自転車はカバー体３により全体が覆われる。地面上をキャスター５が転がるので、把手ベルト４２を手に持ち、収納バッグ１を引き摺るようにして持ち運ぶことができる。また、第１のリュックベルト４１ａ，４１ｂにより収納バッグ１を背負ったり、ショルダーベルト４３により収納バッグ１を肩に掛けたりして、持ち上げて運んでもよい。
【００５１】
つぎに、自転車に乗るときは、カバー体３の出し入れ口３４を開いてカバー体３内より折り畳んだ自転車を取り出した後、収納バッグ１を折り畳む。この場合、カバー体３内に袋部材６が一体に設けられているので、袋部材６の前面部６１と背面部６２とを、裏面同士が対向する状態にして、襠部６３によって形成されるカバー体３の折り込み空間部Ｓにカバー体３を折り畳んで折り込み、開放部６０を閉じることで収納バッグ１はコンパクトに折り畳まれる。折り畳み後は、背面部６２に第２のリュックベルト７ａ，７ｂが装着されているので、この第２のリュックベルト７ａ，７ｂによって折り畳んだ状態の収納バッグ１を背負うことができる。
【符号の説明】
【００５２】
１    収納バッグ
２    底板部
３    カバー体
４    持ち運び用の第１のベルト
５    キャスター
６    袋部材
７ａ，７ｂ  第２のリュックベルト（持ち運び用の第２のベルト）
２２  第２の底板
２６，２７  立ち上がり壁
３１  前壁部
３２  背壁部
３３  襠部
３４  出し入れ口
４１ａ，４１ｂ  第１のリュックベルト
４２  把手ベルト
４３  ショルダーベルト
６０  開放部
６１  前面部
６２  背面部
６３  襠部
【図１】
2019030360.tif 000003
【図２】
2019030360.tif 000004
【図３】
2019030360.tif 000005
【図４】
2019030360.tif 000006
【図５】
2019030360.tif 000007
【図６】
2019030360.tif 000008
【図７】
2019030360.tif 000009
【図８−１】
2019030360.tif 000010
【図８−２】
2019030360.tif 000011